(57)【特許請求の範囲】
【請求項１】
一対の包装シートにより成形され、内容物を収容するための収容領域及び開封可能な開封領域を含む袋本体と、該開封領域を引き裂くことにより開口され得る開口予定部の一方の包装シートに設けられた結晶領域の配列方向性を有する合成樹脂シートと、該開封領域に設けられ、前記開口予定部へ引き裂き誘導するための引き裂き案内部とを具備し、該開口予定部の一方の包装シートは規則的な切り口を容易に得られる部分であり、該開口予定部の他方の包装シートは規則的な切り口が得られない部分であり、開封後の前記一方の包装シートの切り口と前記他方の包装シートの切り口との形状の差により開口に段差を生じることを特徴とする包装袋。
【請求項２】
前記収容領域及び開封領域間に配置され、該収容領域を再封し得る再封用ジップ部をさらに具備することを特徴とする請求項１に記載の包装袋。
【請求項３】
前記合成樹脂シートと前記再封用ジップ部とが平行に配置され、その間の距離が少なくとも２ｍｍ以上であることを特徴とする請求項２に記載の包装袋。
【請求項４】
前記合成樹脂シートは、一方向性のポリプロピレン一軸延伸フィルムであることを特徴とする請求項１ないし３のいずれか１項に記載の包装袋。
【請求項５】
前記合成樹脂シートは、２ｍｍないし１５ｍｍの幅を有することを特徴とする請求項１ないし４のいずれか１項に記載の包装袋。
【請求項６】
前記包装シートは、積層シートであることを特徴とする請求項１ないし５のいずれか１項に記載の包装袋。
【請求項７】
前記内容物は、パップ剤、硬膏剤、冷却シート、パッチ剤、リザーバー型貼付剤、創傷被覆剤、及び絆創膏から選択される少なくとも１種の貼付剤であることを特徴とする請求項１ないし６のいずれか１項に記載の包装袋。
【請求項８】
一対の包装シートにより成形され、内容物を収容するための収容領域及び開封可能な開封領域を含む袋本体と、該収容領域及び開封領域間に配置され、該収容領域を再封し得る再封用ジップ部と、一方の包装シートの該開封領域の引き裂き予定箇所に設けられた結晶領域の配列方向性を有する２〜１５ｍｍ幅のポリプロピレン一軸延伸フィルムと、該開封領域の一端に設けられ、該ポリプロピレン一軸延伸フィルム及び他方の包装シートへ引き裂き誘導するための引き裂き案内用切り込みとを具備し、前記ポリプロピレン一軸延伸フィルムと前記再封用ジップ部とが平行に配置され、その間の距離が２ないし２０ｍｍであって、該引き裂き予定箇所の一方の包装シートは規則的な切り口を容易に得られる部分であり、該引き裂き予定箇所の他方の包装シートは規則的な切り口が得られない部分であり、開封後の前記一方の包装シートの切り口と前記他方の包装シートの切り口との形状の差により開口に段差を生じることを特徴とする易開封性の包装袋。
【発明の詳細な説明】
【０００１】
【発明の属する技術分野】
本発明は、内容物を収容して封止し得、必要時に開封して使用する包装袋に関する。
【０００２】
【従来の技術】
従来より、内容物を収容した包装袋を開閉するために包装袋の引き裂き予定箇所にミシン目状の切込み線を設けることが、例えば実公平４−２３７９６号、及び特開平７−２２３６５３号公報等に開示されていた。しかしながら、包装袋にミシン目を設けると、その切れ目により包装袋の気密性が保たれず、バリア性を損なう危険性があり、包装内容物の保存性安定性を確保することができなくなるという問題があった。また、ミシン目を入れる等の加工には、特殊な刃が必要となり、その加工のために製造工程も複雑となり、コスト高となっていた。また、開封時にはミシン目より紙粉が発生することがあり、衛生的にも問題があった。
【０００３】
また、ミシン目状の切込み線を用いることなくきれいに引き裂くことが可能な食品用包装袋として、結晶の配列方向性を有する合成樹脂シートを引き裂き予定箇所全体に設けることが特公昭５３−１２２１６号公報に開示されている。
【０００４】
しかしながら、これらの包装袋は、容易に引裂くことはできるが、包装袋の対向する一対のシートが、重なったまま同位置で同形状に引裂かれるため、この重なった部位を指でつまみ開口させることが困難であった。特に、ジップ部（ファスナー）を持つ包装袋の場合は、ジップ部と引き裂かれた部分との距離が短く、指でつまみにくいため、開口させることが極めて困難であった。特に、幼年者や高齢者など、指先の機能が不十分な者にとっては、その引き剥がしが事実上不可能なことさえあった。
【０００５】
さらに、例えこのようにして引き剥がして開口させても、その後、ジップ部（ファスナー）の凸状と凹状とを互いに咬合させて再封した場合、その咬合を解いて再度開口させるときにも、再び同様の問題が生じていた。
【０００６】
このような問題に対処するため、特開２０００−２７２６３８号公報には、ジップ部として、互いに嵌め込み可能な凹状テープ及び凸状テープを設けた対向する一対のシートに、各々互いに異なる位置に引き裂き予定箇所を設けた包装袋が開示されている。この公報では、引き裂き予定箇所として、凹状テープ及び凸状テープの長手端部を利用することを記載しているが、実際には、同じ位置で重なって引き裂かれることが多く、実用的ではなかった。
【０００７】
【発明が解決しようとする課題】
本発明は、以上のような従来技術の問題に着目してなされたもので、引き裂き及び引き裂かれ部分の開口が容易な包装袋を提供することを目的とする。
【０００８】
【課題を解決するための手段】
本発明の包装袋は、一対の包装シートにより成形され、内容物を収容するための収容領域及び開封可能な開封領域を含む袋本体と、該開封領域を引き裂くことにより開口され得る開口予定部の一方の包装シートに設けられた結晶領域の配列方向性を有する合成樹脂シートと、該開封領域に設けられ、前記開口予定部へ引き裂き誘導するための引き裂き案内部とを具備し、該開口予定部の一方の包装シートは規則的な切り口を容易に得られる部分であり、該開口予定部の他方の包装シートは規則的な切り口が得られない部分であり、開封後の前記一方の包装シートの切り口と前記他方の包装シートの切り口との形状の差により開口に段差を生じることを特徴とする。
【０００９】
また、本発明の好ましい態様に係る包装袋は、一対の包装シートにより成形され、内容物を収容するための収容領域及び開封可能な開封領域を含む袋本体と、該収容領域及び開封領域間に配置され、該収容領域を再封し得る再封用ジップ部と、一方の包装シートの該開封領域の引き裂き予定箇所に設けられた結晶領域の配列方向性を有する２〜１５ｍｍ幅のポリプロピレン一軸延伸フィルムと、該開封領域の一端に設けられ、該ポリプロピレン一軸延伸フィルム及び他方の包装シートへ引き裂き誘導するための引き裂き案内用切り込みとを具備し、前記ポリプロピレン一軸延伸フィルムと前記再封用ジップ部とが平行に配置され、その間の距離が２ないし２０ｍｍであって、該引き裂き予定箇所の一方の包装シートは規則的な切り口を容易に得られる部分であり、該引き裂き予定箇所の他方の包装シートは規則的な切り口が得られない部分であり、開封後の前記一方の包装シートの切り口と前記他方の包装シートの切り口との形状の差により開口に段差を生じることを特徴とする。
【００１０】
【発明の実施の形態】
本発明の包装袋は、一対の包装シートにより成形され、内容物を収容するための収容領域、及び少なくともその一部を引き裂くことにより開口され得る開口予定部を含む開封領域を有する袋本体と、開口予定部の一方の包装シートに設けられた結晶領域の配列方向性を有する合成樹脂シートとを具備する。
【００１１】
本発明に使用される結晶領域の配列方向性を有する合成樹脂シートは、引き裂き方向に対する強度は弱いが、他方向への強度が強いため、引き裂きにより、一方向に容易に引裂かれ、所望の規則的な形状の切り口が得られる。
【００１２】
本発明の包装袋では、上述のような結晶領域の配列方向性を有する合成樹脂シートが、一方の包装シートの開口予定部に設けられている。利用者が、この開口予定部を引き裂いた場合、この結晶領域の配列方向性を有する合成樹脂シートが設けられた側の包装シートは、この合成樹脂シートの規則的な切り口例えばシャープな直線状の切り口に誘導されて、同位置で同形状に容易に引き裂かれ、規則的な切り口例えばシャープな直線状の切り口が得られる。一方、この合成樹脂シートが設けられていない側の包装シートは、切り口が不規則となり、シャープな直線状の切り口を得ることはできない。このため、本発明の包装袋では、結晶領域の配列方向性を有する合成樹脂シートが設けられた側と、設けられていない側とで、包装シートの引き裂かれ部分に段差が生じる。利用者は、この段差を利用して、例えば指先だけで、開口予定部を容易に開口し得る。
【００１３】
また、本発明の包装袋は、単に、結晶領域の配列方向性を有する合成樹脂シートを設けるだけなので、従来のミシン目形成等で起きていた包装袋の気密性、及びコスト高等の問題がない。
【００１４】
本発明の包装袋には、好ましくは、その収容領域及び開封領域間に、収容領域を再封し得る再封用ジップ部をさらに設けることができる。
【００１５】
このような再封用ジップ部を設けることにより、本発明の包装袋は、開封後も再封可能となり、また、上述のように包装シートの引き裂かれ部分に段差が生じるので、開封時及び再開封時共に、この引き裂かれ部分を容易に開口させることができる。
【００１６】
本発明の包装袋において、開封領域に、開口予定部へ引き裂き誘導するための引き裂き案内部を設けることが好ましい。
【００１７】
通常、包装袋には、周囲を封止する封止部が設けられており、引き裂かれ部分となる引き裂き予定箇所は、この封止部と開口予定部とを含む。引き裂き案内部は、封止部の端部に例えば切込み部として設けられ得る。このような切込み部を設けることにより、切込み部から容易に引き裂き開始することができ、引き裂き予定箇所及びここに設けられた合成樹脂シートに引き裂き方向を誘導することができる。この切込み部は、合成樹脂シートの幅内に形成することがより好ましい。なお、切り込み部は、後述する図１に示すように、合成樹脂シート端部に直接形成することが好ましく、この場合には引き裂きがより確実なものとなる。
【００１８】
本発明に使用される結晶領域の配列方向性を有する合成樹脂シートは、端部に僅かな力を加えれば、配列に沿って規則的に引裂かれ、例えば直線的に切断することができる。従って、高齢者や幼年者等の力の弱いものでも容易に且つ正確に引裂くことができる。
【００１９】
このような合成樹脂シートとしては、例えばポリエチレン、ポリプロピレン等のポリオレフィン系樹脂の他、ポリエステルポリアミドなどの熱可塑性樹脂やそれらの混合物からなり、結晶領域の配列方向性を持たせたものが使用できる。
【００２０】
直線状に容易に引裂かれ、シャープな切り口が得られる合成樹脂シートとして、特に好ましくは、ポリプロピレン一軸延伸フィルムを使用することができる。
【００２１】
ポリプロピレン一軸延伸フィルムは、例えば約６０μｍの厚さを有することが好ましい。
【００２２】
また、本発明に用いられる合成樹脂シートは、開口予定部に部分的に設けられていればよいが、一方の包装シートの開口予定部全体に設けられていることが好ましい。
【００２３】
さらに、この合成樹脂シートは、熱シール、接着剤あるいは粘着剤を用いた接着等の簡便な手法で包装シートに適用することができる。好ましくは、合成樹脂シートは接着により適用し得、これにより、製造工程を複雑化することなく極めて容易に製造することができる。
【００２４】
以下、図面を参照し、本発明をより詳細に説明する。
【００２５】
図１は、本発明に係る包装袋に内容物を収容した場合の一例を表す正面図である。
【００２６】
また、図２は、図１のＡ−Ａ’断面図を示す。
【００２７】
図１及び図２に示されるように、本発明の包装袋１は、対向して配置された例えば１５４ｍｍないし２１０ｍｍの大きさを有する実質的に長方形の一対の包装シート７，８間に図示しない内容物例えばパップ剤等を収容し、その周縁を熱シールして封止部６を形成することにより封止された袋本体を有する。この袋本体の包装シート８内面には、袋本体内部を、内容物が十分収容され得る収容領域と、使用時に開封され得る開封領域とに区分する位置に凹状テープ９が設けられている。一方、包装シート８と対向する包装シート７内面には、凹状テープ９と同様に、袋本体内部を、収容領域と開封領域とに区画する位置に、凹状テープ９を嵌込むように配置された凸状テープ１０が設けられ、凹状テープ９と共にジップ部４を構成している。さらに、包装シート７外面の開封領域側には、凸状テープ１０と間隔をおいてほぼ平行に包装シート７の両端に亘り、例えば５ないし７ｍｍ幅のポリプロピレン一軸延伸フィルム等の結晶領域の配列方向性を有する合成樹脂シート３が設けられている。この包装袋１の開口予定部は、合成樹脂シート３が設けられた位置を含む開封領域の一部例えば図１の点ａ，点ｂ間に相当する。点ａ，点ｂ間の延長線上の封止部６端部の一方には、引き裂きを点ａ，点ｂ間の開口に誘導するためのＩ字状の切込み部５が合成樹脂シート３の上に設けられている。また、包装シート７，８は、袋本体外側から例えば紙／ポリエチレン／アルミニウム／ポリエチレンからなる積層フィルムからなる。
【００２８】
図１及び図２に示す包装袋は、使用時に切込み部５から容易に引き裂くことが可能である。
【００２９】
図３に、図１の包装袋を切込み部５から引き裂いた状態を表す図を示す。
【００３０】
図示するように、引き裂きを行うことにより、引き裂き予定箇所が合成樹脂シート３に誘導され、包装シート７ではシャープな切り口となり、包装シート８では不規則な切り口となる。切り口の形状の違いにより段差が生じるので、包装シート８側の切り口を指で容易につまみ、開口予定部を開口させることができる。
【００３１】
本発明の袋体に包装される物品は、特に限定されないが、特に、パップ剤、硬膏剤、冷却シート、パッチ剤、リザーバー型貼付剤、創傷被覆剤、絆創膏等の貼付剤；水や揮発成分を含む食品；化学肥料、農薬等の化学物質；化粧品等に好適に使用されることができ、好ましくは、パップ剤、硬膏剤、冷却シート、パッチ剤、リザーバー型貼付剤、創傷被覆剤、絆創膏等の貼付剤に用いられ、より好ましくはパップ剤、硬膏剤に用いられる。
【００３２】
本発明に用いられる包装シートは、上記内容物によって、適宜選択し得る。
これらの内容物に適する包装シートは、公知のものが種々使用できる。
包装シートとして、例えば積層シートを使用することができる。
積層シートは、少なくとも２層からなる複合ラミネートフィルムである。
【００３３】
袋体の気密性の優れたものとするときは、内側層にアルミニウム層を含むことが好ましい。本発明の積層体は、複合ラミネートフィルムの製造に用いられるドライラミネーション法、ウェットラミネーション法、ホットメルトラミネーション法、エクストルージョンラミネーション法等の慣用のいずれの方法によっても製造することができる。
【００３４】
積層シートを構成する層は、例えば、紙、不織布、セロハン、ナイロン、ポリエチレン、ポリエステル、ポリプロピレン、ポリ塩化ビニル、アイオノマー、ポリアミド、ポリアクリロニトリル、オレフィン、ポリ塩化ビニリデン、ポリビニルアルコール、エチレン酢酸ビニル共重合体、ポリカーボネート、ポリスチレン、エチレンビニルアルコール共重合体、エチレンアクリル共重合体及びアルミニウム等からなるフィルム層から選択される少なくとも２層からなる。
【００３５】
本発明の積層フィルムの層構成は、特に限定されず、通常の包装袋に使用される複合ラミネートフィルムのいかなる種類のものであってもよい。
【００３６】
本発明に用いられる積層シートの層構成は特に限定されないが、積層シートの好ましい層構成としては、最外層から最内層に向かって例えば紙／ポリエチレン／アルミニウム／ポリエチレンの順に積層された積層体等があげられる。
【００３７】
積層体全体の厚さは、５０〜３００μｍ程度、特に７０〜１５０μｍ程度が好ましいが、これに限定されない。積層体を構成する各層の厚さもまた、これに限定されないが、例えば、上記紙／ポリエチレン／アルミニウム／ポリエチレン  積層体の構成では、紙層２０〜２００ｇ／ｍ2好ましくは３０〜１００ｇ／ｍ2、ポリエチレン層１０〜１００μｍ好ましくは１０〜３０μｍ、アルミニウム層４〜３０μｍ好ましくは約７〜１０μｍ、及びポリエチレン層１０〜１００μｍ好ましくは２０〜５０μｍとすることができる。
【００３８】
図１ないし図３に示す包装袋では、袋本体の開口予定部に、単に、結晶領域の配列方向性を有する合成樹脂シートを適用するだけで、製袋工程を複雑化することがなく、容易に製造できる。また、袋本体を損傷することもなく、所望のバリア性等を低下させる心配もない。合成樹脂シートは、包装シートの開口予定部に設けられていればよいが、図示するように包装シートの両端部まで設けられていることが好ましく、より確実に引き裂きを行うことができる。
【００３９】
図１ないし図３に示す包装袋において、合成樹脂シートの幅は、好ましくは２ないし１５ｍｍ、より好ましくは３ないし１２ｍｍ、さらに好ましくは５ないし７ｍｍである。
【００４０】
また、この包装袋において、合成樹脂シート３は、ジップ部４に対し、ほぼ平行にかつ包装袋の両端部に亘り設けられることが好ましい。合成樹脂シート３とジップ部４との間隔は２ｍｍ以上あることが好ましい。この間隔が２ｍｍ未満であると、使用者が開封するときに指でつまむことが困難となる傾向がある。他方、合成樹脂シート３とジップ部４との間隔が２０ｍｍより大きいと、内容物が取り出しにくくなり、包装袋として無駄が多くなるので、この間隔は２ないし２０ｍｍとすることが好ましい。
【００４１】
また、図１に示すように、本発明の包装袋には、ジップ部４よりも開封領域側の熱シールされた部分に、引き裂き案内用の切込み部５を設けると、暗い場所や、視力が弱い使用者にとっても、引き裂き開始の位置が判りやすくなる。さらに、弱い力で容易に引き裂きが可能になる。さらに、より適格に引き裂き方向を引き裂き予定箇所に誘導することができる。切込み部５は、引き裂き予定箇所の封止部端部の一方または両方に設けることができる。なお、切込み部の形状は、Ｉ字、Ｖ字、Ｕ字、Ｓ字、単なる切込み線、斜線、破線及び曲線等のいずれの形状のものも使用できる。
【００４２】
本発明の包装袋において、袋本体の周囲に設けられた封止部は、例えば熱溶着（ヒートシール）のような方法で設けられる。封止部の全コーナー部または上部２つのコーナー部は、丸みを帯びた形状にすることができる。
【００４３】
また、本発明の包装袋において、ジップ部は、係合凸部及び係合凹部からなる再開閉可能な咬合具のことを言い、チャック、スライドファスナー、ジッパー等のいずれの種類でも使用できる。
【００４４】
この引き裂き予定箇所や合成樹脂シート等は、これが引き裂き予定箇所であることを示す表示例えば「切取り線」などの表示を、印刷等により設けることができる。また、使用者が分かりやすいように合成樹脂シートに黒、赤、青、緑等の色を付けることも、逆に目立たぬ様に透明、無色、白色にすることもできる。
【００４５】
【発明の効果】
このように、本発明によれば、単に、包装袋の一方の包装シートの開口予定部に、結晶領域の配列方向性を有する合成樹脂シートを設けるだけで、この開口予定部の規則的な切り口を容易に得られる部分、他方の包装シートの開口予定部を規則的な切り口が得られない部分にせしめ、切り口の形状の差により結果的に段差を生じ、引き裂き及び引き裂かれ部分の開口が容易な易開封性の包装袋を得ることができる。
【００４６】
また、本発明の包装袋は、弱い力でも容易に引き裂きが可能であり、高齢者、負傷者等指先機能の不自由な者でも、指先でつまみ容易に開口することができる。
【図面の簡単な説明】
【図１】  本発明の包装袋の一例の構成を表す正面図
【図２】  図１のＡ−Ａ’断面図
【図３】  図１の包装袋を開封した様子を表す図
【符号の説明】
１…包装袋、３…合成樹脂シート、４…ジップ部、５…切込み部、６…封止部、７，８…包装シート、９…凹状テープ、１０…凸状テープ
【図１】
0004892146.tif 000002
【図２】
0004892146.tif 000003
【図３】
0004892146.tif 000004